(57)【要約】      （修正有）【課題】可撓性材料を用いた透析液原剤容器の、透析液生成過程におけるノズルからの脱落を防止可能な、透析液生成システムを提供する。【解決手段】透析原剤容器１６Ａは、相対的に硬質であり対向配置される第１ポート７６及び第２ポート７８と、相対的に軟質であって第１ポート７６と第２ポート７８とを繋ぎ内部に透析液原剤が収容される収容部７４とを有する。透析液生成装置は、希釈液供給時の第１ポート７６及び第２ポート７８の鉛直移動を規制する規制部材１５４（Ａ，Ｂ），１５６（Ａ，Ｂ）を有する。【選択図】図１２
2019022587.tif 000002
【特許請求の範囲】
【請求項１】
相対的に硬質であり対向配置される第１ポート及び第２ポートと、
相対的に軟質であって前記第１ポートと前記第２ポートとを繋ぎ内部に透析液原剤が収容される収容部と、
を有する透析液原剤容器と、
前記第１ポート及び前記第２ポートを鉛直線上に配置した立設状態において、前記第１ポートの閉口部を穿刺可能な第１ノズルと、
前記立設状態において前記第２ポートの閉口部を穿刺可能な第２ノズルと、
前記第１ノズルを経由して前記収容部内に希釈液を供給する供給手段と、
前記希釈液と前記透析液原剤とが混合された透析液を前記収容部から前記第２ノズルを経由して送出する送出手段と、
前記希釈液供給時の前記第１ポート及び前記第２ポートの鉛直移動を規制する規制部材と、
を有する透析液生成装置と、
を備える、透析液生成システム。
【請求項２】
請求項１に記載の透析液生成システムであって、
前記第１ポート及び前記第２ポートと、前記収容部とが接続される接続部には、前記第１ポート及び前記第２ポートの径よりも小さい縮径部が形成され、
前記規制部材は、前記第１ポート側及び前記第２ポート側の前記縮径部に差し込まれるガイド部材である、透析液生成システム。
【請求項３】
請求項１または２に記載の透析液生成システムであって、
前記透析液生成装置は、前記立設状態の前記透析液原剤容器の前記収容部を水平方向に取り囲む保持部材を備える、透析液生成システム。
【請求項４】
請求項２または３に記載の透析液生成システムであって、
前記透析液生成装置は、複数の前記透析液原剤容器を前記立設状態で保持し、前記透析液原剤容器の前記第１ポート及び前記第２ポートが配置される鉛直線と平行な鉛直軸を回転軸として回転可能なターンテーブルを備える、透析液生成システム。
【請求項５】
請求項２または請求項２に従属する請求項３に従属する請求項４に記載の透析液生成システムであって、
前記ガイド部材は、前記ターンテーブルによって回転移動される前記透析液原剤容器の回転経路上の一部に設けられる、透析液生成システム。
【請求項６】
請求項１から５のいずれか一つに記載の透析液生成システムであって、
前記透析液生成装置は、前記第１ノズル及び前記第２ノズルを鉛直方向に移動可能な鉛直移動機構を備える、透析液生成システム。
【請求項７】
請求項１から６のいずれか一つに記載の透析液生成システムであって、
前記透析液原剤は粉末剤である、透析液生成システム。
【請求項８】
請求項１に記載の透析液生成システムであって、
前記第１ポート及び前記第２ポートは、前記閉口部から前記収容部まで前記立設状態において鉛直方向に延設される側面を有し、
前記第１及び第２規制部材は、前記立設状態の前記透析液原剤容器の前記第１ポート及び前記第２ポートの側面を水平方向に狭持する狭持部材である、透析液生成システム。
【請求項９】
相対的に硬質であり対向配置される第１ポート及び第２ポートと、相対的に軟質であって前記第１ポートと前記第２ポートとを繋ぎ内部に透析液原剤が収容される収容部と、を有する透析液原剤容器に希釈液を供給して透析液を生成する、透析液生成装置であって、
前記第１ポート及び前記第２ポートを鉛直線上に配置した立設状態において、前記第１ポートの閉口部を穿刺可能な第１ノズルと、
前記立設状態において前記第２ポートの閉口部を穿刺可能な第２ノズルと、
前記第１ノズルを経由して前記収容部内に前記希釈液を供給する供給手段と、
前記希釈液と前記透析液原剤とが混合された透析液を前記収容部から前記第２ノズルを経由して送出する送出手段と、
前記希釈液供給時の前記第１ポート及び前記第２ポートの鉛直移動を規制する規制部材と、
を備える透析液生成装置。
【発明の詳細な説明】
【技術分野】
【０００１】
本発明は、透析液生成システムに関する。
【背景技術】
【０００２】
従来から、透析液原剤（液体または粉末）と希釈液（例えばＲＯ水）とを混合させて透析液を生成する透析液生成システムが知られている。
【０００３】
このような透析液生成システムとして、例えば特許文献１、２では、いわゆるカートリッジタイプの透析液原剤を用いている。すなわち、透析液生成装置のホルダがカートリッジ（透析液原剤容器）を保持する。次に、先端の鋭利な一対のノズルによってカートリッジのキャップ等に設けられた一対の閉口部を穿刺してカートリッジ内部と連通させる。一方のノズルから希釈液が供給される。カートリッジ内で希釈された透析液は他方のノズルから透析液を貯留するタンクに送出される。
【先行技術文献】
【特許文献】
【０００４】
【特許文献１】特開平６−１２５９８３号公報
【特許文献２】特許第３８４８３７１号公報
【発明の概要】
【発明が解決しようとする課題】
【０００５】
ところで、透析液原剤容器が硬質材料から構成されている場合、空になった使用済み透析液原剤容器の容積が嵩張り、その分廃棄コストが掛かる。使用済み透析液原剤容器の減容化を図るため、透析液原剤容器の少なくとも一部を軟質材料（可撓性材料）で構成し、使用後に潰せるようにすることが考えられる。
【０００６】
しかしながら、その可撓性のために、透析液の生成過程で透析液原剤容器がノズルから外れるおそれがある。例えば図１６に示すように、透析液原剤容器１０００内に希釈液が供給されるに伴って、透析液原剤容器１０００が膨張する。膨張に伴い可撓性の透析液原剤容器１０００が変形し、図１６のように、ノズル１００２が差し込まれていない紙面横方向に膨らむ場合がある。横方向の膨張に伴い、透析液原剤容器１０００はノズル１００２の差込方向である紙面縦方向に縮む様に変形し、その結果ノズル１００２が透析液原剤容器１０００から外れる（抜ける）おそれがある。
【０００７】
そこで本発明は、可撓性材料を用いた透析液原剤容器の、透析液生成過程におけるノズルからの脱落を防止可能な、透析液生成システムを提供することを目的とする。
【課題を解決するための手段】
【０００８】
本発明は、透析液生成システムに関する。当該システムは、透析液原剤容器と、透析液生成装置を備える。透析液原剤容器は、相対的に硬質であり対向配置される第１ポート及び第２ポートと、相対的に軟質であって第１ポートと第２ポートとを繋ぎ内部に透析液原剤が収容される収容部とを有する。透析液生成装置は、第１ノズル、第２ノズル、供給手段、送出手段、及び規制部材を備える。第１ノズルは、第１ポート及び第２ポートを鉛直線上に配置した立設状態において、第１ポートの閉口部を穿刺可能となっている。第２ノズルは、立設状態において第２ポートの閉口部を穿刺可能となっている。供給手段は、第１ノズルを経由して収容部内に希釈液を供給する。送出手段は、希釈液と透析液原剤とが混合された透析液を収容部から第２ノズルを経由して送出する。規制部材は、希釈液供給時の第１ポート及び第２ポートの鉛直移動を規制する。
【０００９】
また上記発明において、第１ポート及び第２ポートと、収容部とが接続される接続部には、第１ポート及び第２ポートの径よりも小さい縮径部が形成されていてよい。この場合、規制部材は、第１ポート側及び第２ポート側の縮径部に差し込まれるガイド部材であってよい。
【００１０】
また上記発明において、透析液生成装置は、立設状態の透析液原剤容器の収容部を水平方向に取り囲む保持部材を備えてもよい。
【００１１】
また上記発明において、透析液生成装置は、複数の透析液原剤容器を立設状態で保持し、当該透析液原剤容器の第１ポート及び第２ポートが配置される鉛直線と平行な鉛直軸を回転軸として回転可能なターンテーブルを備えてもよい。
【００１２】
また上記発明において、ガイド部材は、ターンテーブルによって回転移動される透析液原剤容器の回転経路上の一部に設けられてもよい。
【００１３】
また上記発明において、透析液生成装置は、第１ノズル及び第２ノズルを鉛直方向に移動可能な鉛直移動機構を備えてもよい。
【００１４】
また上記発明において、透析液原剤は粉末剤であってよい。
【００１５】
また上記発明において、第１ポート及び第２ポートは、閉口部から収容部まで立設状態において鉛直方向に延設される側面を有してもよい。この場合、第１及び第２規制部材は、立設状態の透析液原剤容器の第１ポート及び第２ポートの側面を水平方向に狭持する狭持部材であってよい。
【００１６】
また本発明は透析液生成装置に関する。当該装置は、相対的に硬質であり対向配置される第１ポート及び第２ポートと、相対的に軟質であって第１ポートと第２ポートとを繋ぎ内部に透析液原剤が収容される収容部とを有する透析液原剤容器に希釈液を供給して透析液を生成する。透析液生成装置は、第１ノズル、第２ノズル、供給手段、送出手段、及び規制部材を備える。第１ノズルは、第１ポート及び第２ポートを鉛直線上に配置した立設状態において、第１ポートの閉口部を穿刺可能となっている。第２ノズルは、立設状態において第２ポートの閉口部を穿刺可能となっている。供給手段は、第１ノズルを経由して収容部内に希釈液を供給する。送出手段は、希釈液と透析液原剤とが混合された透析液を収容部から第２ノズルを経由して送出する。規制部材は、希釈液供給時の第１ポート及び第２ポートの鉛直移動を規制する。
【発明の効果】
【００１７】
本発明によれば、特に規制部材が第１及び第２ポートの鉛直移動を規制するため、可撓性材料を用いた透析液原剤容器の、透析液生成過程におけるノズルからの脱落を防止可能となる。
【図面の簡単な説明】
【００１８】
【図１】本実施形態に係る透析液生成システムを含む、透析システムを例示する図である。
【図２】Ａ液原剤容器を例示する斜視図である。
【図３】Ｂ液原剤容器を例示する斜視図である。
【図４】次亜塩素酸ナトリウム溶液容器を例示する斜視図である。
【図５】過酢酸系溶液容器を例示する斜視図である。
【図６】ターンテーブル及びノズルユニットを例示する斜視図である。
【図７】ターンテーブル及びノズルユニットを例示する部分断面斜視図である。
【図８】図７のＡ−Ａ断面を例示する図である。
【図９】本実施形態に係る透析液生成プロセスを説明する図（１／４）である。
【図１０】本実施形態に係る透析液生成プロセスを説明する図（２／４）である。
【図１１】本実施形態に係る透析液生成プロセスを説明する図（３／４）である。
【図１２】本実施形態に係る透析液生成プロセスを説明する図（４／４）である。
【図１３】他の実施形態に係る透析液生成装置を例示する図である。
【図１４】特に水平方向の容器保持機構について、他の実施形態に係る透析液生成装置を例示する図である。
【図１５】特に水平方向の容器保持機構について、更に他の実施形態に係る透析液生成装置を例示する図である。
【図１６】従来の透析液生成装置の、透析液生成プロセスを説明する図である。
【発明を実施するための形態】
【００１９】
＜透析システム全体構成＞
図１には、本実施形態に係る透析システムが例示されている。透析システムは、透析液生成システム１０と、透析治療システム１２に分けられる。透析液生成システム１０は、透析液生成装置１４、透析液原剤容器１６、及び洗浄剤容器１８（図４、図５参照）を含む。透析治療システム１２は、ダイアライザ２０、透析液注入ポンプ２２ａ（透析液ＩＮポンプ）、透析液排出ポンプ２２ｂ（透析液ＯＵＴポンプ）、及び血液ポンプ２２ｃを含む。
【００２０】
透析液生成システム１０について、透析液生成装置１４は、いわゆるバッチ式の装置であり、タンク２４に所定濃度の透析液を生成、貯留し、貯留した透析液を透析治療システム１２に供給する。
【００２１】
図１に示すように、透析液生成装置１４は、上流側からダイアライザ２０までの経路上に、水供給ポンプ２６、ＲＯ装置２８、ターンテーブル３０、ノズルユニット３２、タンク２４、送液ポンプ３４、ヒータ３６、カプラ３８を備える。
【００２２】
またカプラ３８を除くこれらの機器の動作を制御するために、透析液生成装置１４は制御部３９を備える。制御部３９は、内部に情報処理を行うＣＰＵと制御プログラムやデータを格納する記憶部を備えるコンピュータである。
【００２３】
水供給ポンプ２６は、水道等の水の供給源から水を供給する。ＲＯ装置２８は、逆浸透膜（ＲＯ膜）等を用いて純度の高いＲＯ水を生成する。ターンテーブル３０は、複数の透析液原剤容器１６及び洗浄剤容器１８を立設状態で保持する。さらにターンテーブル３０は、鉛直軸を回転軸として、保持した容器１６，１８を回転移動させることでノズルユニット３２と容器１６，１８の位置合わせが可能となっている。ターンテーブル３０の詳細については後述する。
【００２４】
ノズルユニット３２は、第１ノズル４０、第２ノズル４２、及びＺリフト４４を備える。第１ノズル４０は希釈液であるＲＯ水を透析液原剤容器１６内に供給する。第２ノズル４２は、透析液原剤容器１６内にて希釈液と透析液原剤とが混合された透析液を透析液原剤容器１６からタンク２４に送出させる。Ｚリフト４４は第１ノズル４０及び第２ノズル４２を鉛直方向に移動させる。ノズルユニット３２の詳細については後述する。
【００２５】
送液ポンプ３４は、タンク２４に貯留された透析液を透析治療システム１２に送出（送液）する。ヒータ３６は、タンク２４から透析治療システム１２に送られる透析液を加温する。
【００２６】
透析治療システム１２に送られる透析液の温度は温度センサ４６によって測定される。測定温度は制御部３９に送られ、ヒータ３６の温度制御に利用される。また透析治療システム１２に送られる透析液の流量は流量センサ４８によって測定される。測定流量は透析治療システム側の制御部（図示せず）に送られ、透析液注入ポンプ２２ａの流量制御に利用される。カプラ３８は、透析治療システム１２の透析液入口５０に接続される。
【００２７】
透析治療システム１２では、透析液注入ポンプ２２ａにより、透析液入口５０からダイアライザ２０に透析液が送られる。ダイアライザ２０内を流れた透析液は当該ダイアライザ２０内を流れる血液と物質交換をした後、透析液排出ポンプ２２ｂによって透析液出口５２から排出される。
【００２８】
患者の血液は血液ポンプ２２ｃによって患者のシャント部（動脈側）から動脈側回路５４を経て（脱血）、ダイアライザ２０の血液入口に流入する。その後、ダイアライザ２０内で透析液との物質交換を経た血液は、ダイアライザ２０の静脈側回路５６から患者のシャント部（静脈側）に戻る（返血）。
【００２９】
再び透析液生成システム１０では、透析液出口５２に接続されたカプラ５５から透析液排出管５７を経て、物質交換後の透析液がドレン（図示せず）に排出される。排出される透析液の流量は流量センサ５８によって測定される。測定流量は制御部３９に送られ、透析液排出ポンプ２２ｂの流量制御に利用される。
【００３０】
図１に示すように、透析液（及びその原料の水）の供給経路として、水供給ポンプ２６→原水配管５９→ＲＯ装置２８→一次供給管６０→ターンテーブル３０及びノズルユニット３２→二次供給管６２→タンク２４→三次供給管６４→送液ポンプ３４→ヒータ３６→四次供給管６６→カプラ３８→ダイアライザ２０との経路が構成される。
【００３１】
また、上記経路の他に、タンク２４からノズルユニット３２に液経路が戻る再循環経路が構成される。再循環経路は、四次供給管６６からカプラ３８に向かう配管から分岐した再循環配管６８を備える。すなわち、一次供給管６０→ターンテーブル３０及びノズルユニット３２→二次供給管６２→タンク２４→三次供給管６４→送液ポンプ３４→ヒータ３６→四次供給管６６→再循環配管６８→一次供給管６０との循環経路が構成される。
【００３２】
再循環経路は、例えば透析液の生成に当たり、一度透析液原剤容器１６を通過した透析液を再循環させて透析液原剤容器１６まで戻す。このようにすることで再循環経路内の透析液濃度が一定となる。
【００３３】
また、再循環経路は、洗浄時にも利用される。ターンテーブル３０に保持された洗浄剤容器１８（図４、図５参照）に第１ノズル４０及び第２ノズル４２を穿刺して再循環経路内に洗浄液を循環させる。
【００３４】
再循環経路と透析液供給経路の切り替えは、再循環配管６８に設けられたバルブ７０と、四次供給管６６と再循環配管６８との分岐点からカプラ３８までの間に設けられたバルブ７２の開閉切り替えによって実行される。
【００３５】
＜透析液生成システムの詳細＞
上述したように、本実施形態に係る透析液生成システムは、透析液生成装置１４、透析液原剤容器１６、及び洗浄剤容器１８を含んで構成される。図２には透析液原剤容器１６としてＡ液原剤容器１６Ａが例示され、図３にはＢ液原剤容器１６Ｂが例示される。
【００３６】
なお、図２〜図１３には、互いに直交するＸ軸、Ｙ軸、Ｚ軸が示される。Ｚ軸は鉛直方向を示し、鉛直上向き方向を正方向とする。従って図２〜図５は、透析液原剤容器１６及び洗浄剤容器１８を鉛直方向に立てた立設状態が例示されている。
【００３７】
またＸ軸は透析液生成装置１４、透析液原剤容器１６及び洗浄剤容器１８の幅方向を示す。Ｙ軸は透析液生成装置１４の奥行き方向を示す。また透析液原剤容器１６及び洗浄剤容器１８については、Ｙ軸はこれら容器の厚さ方向を示す。
【００３８】
図２、図３に戻り、透析液として重炭酸透析液を用いる場合、透析液は、Ａ液、Ｂ液の二つの薬剤を混合・希釈して生成される。ここで、Ａ剤は、電解質成分（例えば塩化ナトリウム、塩化カリウム、塩化カルシウム、塩化マグネシウム、酢酸ナトリウム）や、ｐＨ調整剤（例えば酢酸）、糖（例えばグルコース）等を含む薬剤である。また、Ｂ剤は、重炭酸ナトリウム等を含む薬剤である。
【００３９】
例えばカルシウムやマグネシウムと重炭酸ナトリウムとを混合させて長時間放置すると、互いに反応して炭酸カルシウムや炭酸マグネシウムが生成されてしまうが、重炭酸ナトリウムをＢ剤として他の電解質のＡ剤と分けて保管することでこのような反応を防止可能となる。
【００４０】
図２に示すように、Ａ液原剤容器１６Ａは扁平な立体形状の収容部７４、ならびに、収容部７４を挟んで対向する第１ポート７６及び第２ポート７８を備える。加えて、第１ポート７６と収容部７４との間の接続部には、第１ポート７６よりも径の小さい縮径部８０Ａが形成される。また同様に、第２ポート７８と収容部７４との間の接続部には、第２ポート７８よりも径の小さい縮径部８０Ｂが形成される。Ａ液原剤容器１６Ａは例えばポリプロピレン等の樹脂材料をブロー成形することによって製造される。
【００４１】
収容部７４は、第１ポート７６及び第２ポート７８を繋ぎ、その内部にはＡ液の原剤が収容される。原剤は粉末剤でも液体でもよい。収容部７４は、第１ポート７６及び第２ポート７８と比較して軟質であって、可撓性を備える。例えば透析液生成後、空になったＡ液原剤容器１６Ａは、収容部７４を潰して折り畳むことが可能となる。
【００４２】
また、収容部７４の下側領域、すなわち、立設状態において鉛直下方向に位置し、第１ポート７６側となる下側領域は、第１ポート７６に向かって幅（ｘ軸方向長さ）が狭まるすり鉢形状となっている。このような形状を備えることで、特にＡ液の原剤が粉末である場合に、後述するように、第１ポート７６から希釈液が供給されたときに、第１ポート７６側に原剤が集まり易くなり、Ａ液原剤容器１６Ａ内の原剤の溶け残りを抑制可能となる。
【００４３】
第１ポート７６は、Ａ液原剤容器１６Ａをターンテーブル３０に設置させる立設状態としたときに鉛直方向下側に配置される。第１ポート７６は収容部７４と比較して硬質であって、例えば収容部７４の肉厚の５倍から１０倍程度の肉厚となっている。このように第１ポート７６を硬質とすることで、透析液生成時における変形を防止可能となる。
【００４４】
第１ポート７６は例えば円筒形状であって、図２のような立設状態においてその鉛直方向末端には閉口部８２が形成される。後述するように閉口部８２は透析液生成時に第１ノズル４０に穿刺される。これにより第１ノズル４０と収容部７４内部とが連通される。
【００４５】
第２ポート７８は、Ａ液原剤容器１６Ａをターンテーブル３０に設置させる立設状態としたときに鉛直方向上側に配置される。第１ポート７６と同様にして、第２ポート７８は収容部７４と比較して硬質であって、例えば収容部７４の肉厚の５倍から１０倍程度の肉厚となっている。このように第２ポート７８を硬質とすることで、透析液生成時における変形を防止可能となる。
【００４６】
第２ポート７８は例えば円筒形状であって、図２のような立設状態においてその鉛直方向末端には閉口部８４が形成される。後述するように閉口部８４は透析液生成時に第２ノズル４２に穿刺される。これにより第２ノズル４２と収容部７４内部とが連通される。
【００４７】
縮径部８０Ａ，８０Ｂは、例えば収容部７４の一部（鉛直方向末端部）として形成される。縮径部８０Ａの径Ｒａａ０は、第１ポート７６の径Ｒａ１未満となるように構成される。同様にして、縮径部８０Ｂの径Ｒａｂ０は、第２ポート７８の径Ｒａ２未満となるように構成される。
【００４８】
後述するように、透析液生成時に、縮径部８０Ａ，８０Ｂにターンテーブル３０のガイド部材１５４，１５６が差し込まれる。これにより、透析液生成プロセスにおいて収容部７４が膨張しても、第１ポート７６及び第２ポート７８が第１ノズル４０及び第２ノズル４２から外れることは免れる。
【００４９】
図３には、Ｂ液原剤容器１６Ｂが例示される。Ｂ液原剤容器１６ＢはＡ液原剤容器１６Ａと比較して小容量の容器であり、収容部８６、ならびに、収容部８６を挟んで対向する第１ポート８８及び第２ポート９０を備える。加えて、第１ポート８８と収容部８６との間の接続部には、第１ポート８８よりも径の小さい縮径部９２Ａが形成される。また同様に、第２ポート９０と収容部８６との間の接続部には、第２ポート９０よりも径の小さい縮径部９２Ｂが形成される。Ｂ液原剤容器１６Ｂは例えばポリプロピレン等の樹脂材料をブロー成形することによって製造される。
【００５０】
収容部８６は、第１ポート８８及び第２ポート９０を繋ぎ、その内部にはＢ液の原剤が収容される。原剤は粉末剤でも液体でもよい。Ａ液原剤容器１６Ａと同様に、収容部８６は、第１ポート８８及び第２ポート９０と比較して軟質であって、可撓性を備える。
【００５１】
第１ポート８８は、Ｂ液原剤容器１６Ｂをターンテーブル３０に設置させる立設状態としたときに鉛直方向下側に配置される。第１ポート８８は収容部８６と比較して硬質であって、例えば収容部８６の肉厚の５倍から１０倍程度の肉厚となっている。このように第１ポート８８を硬質とすることで、透析液生成時における変形を防止可能となる。
【００５２】
第１ポート８８は例えば円筒形状であって、図３のような立設状態においてその鉛直方向末端には閉口部９４が形成される。後述するように閉口部９４は透析液生成時に第１ノズル４０に穿刺される。これにより第１ノズル４０と収容部８６内部とが連通される。
【００５３】
第２ポート９０は、Ｂ液原剤容器１６Ｂをターンテーブル３０に設置させる立設状態としたときに鉛直方向上側に配置される。第１ポート８８と同様にして、第２ポート９０は収容部８６と比較して硬質であって、例えば収容部８６の肉厚の５倍から１０倍程度の肉厚となっている。このように第２ポート９０を硬質とすることで、透析液生成時における変形を防止可能となる。
【００５４】
第２ポート９０は例えば円筒形状であって、図３のような立設状態においてその鉛直方向末端には閉口部９６が形成される。後述するように閉口部９６は透析液生成時に第２ノズル４２に穿刺される。これにより第２ノズル４２と収容部８６内部とが連通される。
【００５５】
ここで、Ａ液原剤容器１６Ａにおける第１ポート７６の径Ｒａ１と、Ｂ液原剤容器１６Ｂにおける第１ポート８８の径Ｒｂ１とは等しいことが好適である。また同様にして、Ａ液原剤容器１６Ａにおける第２ポート７８の径Ｒａ２と、Ｂ液原剤容器１６Ｂにおける第２ポート９０の径Ｒｂ２とは等しいことが好適である。なお、等しいとは厳密な一致の他、製造時の許容公差内に含まれている場合も該当する。後述するように、ポートの径を等しくすることで、第１ノズル４０及び第２ノズルのシール穴５５５ａ，６５５ａを共通化できる。
【００５６】
図３に戻り、縮径部９２Ａ，９２Ｂは、例えば収容部８６の一部（鉛直方向末端部）として形成される。縮径部９２Ａの径Ｒｂａ０は、第１ポート８８の径Ｒｂ１未満となるように構成される。同様にして、縮径部９２Ｂの径Ｒｂｂ０は、第２ポート９０の径Ｒｂ２未満となるように構成される。
【００５７】
後述するように、透析液生成時に、縮径部９２Ａ，９２Ｂにターンテーブル３０のガイド部材１５４，１５６が差し込まれる。これにより、透析液生成プロセスにおいて収容部８６が膨張しても、第１ポート８８及び第２ポート９０が第１ノズル４０及び第２ノズル４２から外れることは免れる。
【００５８】
図４、５には、洗浄剤容器１８として、次亜塩素酸ナトリウム溶液容器１８Ａ（以下適宜、次亜容器と記載する）及び過酢酸系溶液容器１８Ｂ（以下適宜、過酢酸容器と記載する）が例示されている。これらの容器については、基本的な部分（第１ポートや収容部等）はその構造等が同一であるか類似するものであることから、適宜記載を省略して説明する。
【００５９】
図４に示すように、次亜容器１８Ａは収容部９８と、当該収容部９８を挟んで対向する第１ポート１００及び第２ポート１０２を備える。加えて、第１ポート１００と収容部９８との間の接続部には、第１ポート１００よりも径の小さい縮径部１０４Ａが形成される。また同様に、第２ポート１０２と収容部９８との間の接続部には、第２ポート１０２よりも径の小さい縮径部１０４Ｂが形成される。次亜容器１８Ａは例えばポリプロピレン等の樹脂材料をブロー成形することによって製造される。
【００６０】
収容部９８は、第１ポート１００及び第２ポート１０２を繋ぎ、その内部には次亜塩素酸ナトリウムの原剤が収容される。原剤は粉末剤でも液体でもよい。収容部９８は、第１ポート１００及び第２ポート１０２と比較して軟質であって、可撓性を備える。例えば洗浄プロセス終了後、空になった次亜容器１８Ａは、収容部９８を潰して折り畳むことが可能となる。
【００６１】
第１ポート１００は、次亜容器１８Ａをターンテーブル３０に設置させる立設状態としたときに鉛直方向下側に配置される。第２ポート１０２は、次亜容器１８Ａをターンテーブル３０に設置させる立設状態としたときに鉛直方向上側に配置される。第１ポート１００及び第２ポート１０２は収容部９８と比較して硬質であって、例えば収容部９８の肉厚の５倍から１０倍程度の肉厚となっている。このように第１ポート１００及び第２ポート１０２を硬質とすることで、透析液生成時における変形を防止可能となる。
【００６２】
第１ポート１００及び第２ポート１０２は例えば円筒形状であって、図４のような立設状態においてその鉛直方向末端にはそれぞれ閉口部１０６，１０８が形成される。後述するように閉口部１０６，１０８は透析液生成時に第１ノズル４０及び第２ノズル４２に穿刺される。これにより第１ノズル４０及び第２ノズル４２と収容部９８内部とが連通される。
【００６３】
縮径部１０４Ａ，１０４Ｂは、例えば収容部９８の一部（鉛直方向末端部）として形成される。縮径部１０４Ａの径Ｒｃａａ０は、第１ポート１００の径Ｒｃａ１未満となるように構成される。同様にして、縮径部１０４Ｂの径Ｒｃａｂ０は、第２ポート１０２の径Ｒｃａ２未満となるように構成される。
【００６４】
図５に示すように、過酢酸容器１８Ｂは収容部１１０と、当該収容部１１０を挟んで対向する第１ポート１１２及び第２ポート１１４を備える。加えて、第１ポート１１２と収容部１１０との間の接続部には、第１ポート１１２よりも径の小さい縮径部１１６Ａが形成される。また同様に、第２ポート１１４と収容部１１０との間の接続部には、第２ポート１１４よりも径の小さい縮径部１１６Ｂが形成される。過酢酸容器１８Ｂは例えばポリプロピレン等の樹脂材料をブロー成形することによって製造される。
【００６５】
収容部１１０は、第１ポート１１２及び第２ポート１１４を繋ぎ、その内部には過酢酸系溶液の原剤が収容される。原剤は粉末でも液体でもよい。収容部１１０は、第１ポート１１２及び第２ポート１１４と比較して軟質であって、可撓性を備える。例えば洗浄プロセス終了後、空になった過酢酸容器１８Ｂは、収容部１１０を潰して折り畳むことが可能となる。
【００６６】
第１ポート１１２は、過酢酸容器１８Ｂをターンテーブル３０に設置させる立設状態としたときに鉛直方向下側に配置される。第２ポート１１４は、過酢酸容器１８Ｂをターンテーブル３０に設置させる立設状態としたときに鉛直方向上側に配置される。第１ポート１１２及び第２ポート１１４は収容部１１０と比較して硬質であって、例えば収容部１１０の肉厚の５倍から１０倍程度の肉厚となっている。このように第１ポート１１２及び第２ポート１１４を硬質とすることで、透析液生成時における変形を防止可能となる。
【００６７】
第１ポート１１２及び第２ポート１１４は例えば円筒形状であって、図５のような立設状態においてその鉛直方向末端にはそれぞれ閉口部１１８，１２０が形成される。後述するように閉口部１１８，１２０は透析液生成時に第１ノズル４０及び第２ノズル４２に穿刺される。これにより第１ノズル４０及び第２ノズル４２と収容部１１０内部とが連通される。
【００６８】
縮径部１１６Ａ，１１６Ｂは、例えば収容部１１０の一部（鉛直方向末端部）として形成される。縮径部１１６Ａの径Ｒｃｂａ０は、第１ポート１１２の径Ｒｃｂ１未満となるように構成される。同様にして、縮径部１１６Ｂの径Ｒｃｂｂ０は、第２ポート１１４の径Ｒｃｂ２未満となるように構成される。
【００６９】
ここで、次亜容器１８Ａにおける第１ポート１００の径Ｒｃａ１と、過酢酸容器１８Ｂにおける第１ポート１１２の径Ｒｃｂ１とは等しいことが好適である。また同様にして、次亜容器１８Ａにおける第２ポート１０２の径Ｒｃａ２と、過酢酸容器１８Ｂにおける第２ポート１１４の径Ｒｃｂ２とは等しいことが好適である。なお、等しいとは厳密な一致の他、製造時の許容公差内に含まれている場合も該当する。後述するように、ポートの径を等しくすることで、第１ノズル４０及び第２ノズル４２のシール穴５５５ｂ，６５５ｂを共通化できる。
【００７０】
＜ターンテーブル及びノズルユニットの詳細＞
図６にはターンテーブル３０及びノズルユニット３２の斜視図が例示されている。また図７には、ターンテーブル３０の部分断面図が例示されている。ターンテーブル３０は、アッパーテーブル１２２、ミドルテーブル１２４、アンダーテーブル１２６、モータ１２８、及び複数の支柱１３０を含んで構成される。
【００７１】
図６に例示するように、ターンテーブル３０は、鉛直方向上から順に、アッパーテーブル１２２、ミドルテーブル１２４、及びアンダーテーブル１２６が層状に配置される。これらのテーブルは円板形状であってよい。またこれらのテーブルがモータ１２８によって回転駆動される。このときの回転軸は、透析液原剤容器１６Ａ，１６Ｂの第１ポート７６，８８及び洗浄剤容器１８Ａ，１８Ｂの第１ポート１００，１１２と、透析液原剤容器１６Ａ，１６Ｂの第２ポート７８，９０及び洗浄剤容器１８Ａ，１８Ｂの第２ポート１０２，１１４が立設配置される鉛直線と平行な軸線となっている。アッパーテーブル１２２、ミドルテーブル１２４、及びアンダーテーブル１２６は支柱１３０によって連結されており、同期して回転移動する。
【００７２】
アッパーテーブル１２２、ミドルテーブル１２４、及びアンダーテーブル１２６には、それぞれ透析液原剤容器１６Ａ，１６Ｂ及び洗浄剤容器１８Ａ，１８Ｂを収容可能な開口が形成される。具体的には、アッパーテーブル１２２には、Ａ液原剤容器１６Ａを収容可能なＡ液保持開口１３６Ａ、Ｂ液原剤容器１６Ｂを収容可能なＢ液保持開口１３６Ｂ、次亜容器１８Ａを収容可能な次亜保持開口１３６Ｃ、及び過酢酸容器１８Ｂを収容可能な過酢酸保持開口１３６Ｄが形成される。例えばＡ液保持開口１３６Ａ及びＢ液保持開口１３６Ｂは一組となってアッパーテーブル１２２の周回りに複数形成されていてよい。また次亜保持開口１３６Ｃ及び過酢酸保持開口１３６Ｄは一組のみ形成されていてよい。
【００７３】
これらの開口形状は、保持対象の容器形状に沿ったものとなる。例えば、いずれの開口についても、各容器の収容部７４，８６，９８，１１０の水平断面（Ｘ−Ｙ断面）に沿った形状となるように形成される。
【００７４】
アッパーテーブル１２２と同様にして、ミドルテーブル１２４には、Ａ液保持開口１３８Ａ、Ｂ液保持開口１３８Ｂ、次亜保持開口１３８Ｃ、過酢酸保持開口１３８Ｄが形成される。これらの開口は、アッパーテーブル１２２の各開口１３６Ａ，１３６Ｂ，１３６Ｃ，１３６Ｄと鉛直方向に位置合わせされる。例えばミドルテーブル１２４は開口も含めてアッパーテーブル１２２と同一の形状であってよい。
【００７５】
アッパーテーブル１２２及びミドルテーブル１２４と同様にして、アンダーテーブル１２６にも、Ａ液保持開口１４０Ａ、Ｂ液保持開口１４０Ｂ、次亜保持開口１４０Ｃ（図７参照）、過酢酸保持開口１４０Ｄが形成される。しかしながら、これらの開口形状は、アッパーテーブル１２２及びミドルテーブル１２４の形状とは異なるようにしてもよい。
【００７６】
例えば図９に例示するように、アンダーテーブル１２６の開口１４０Ａは、透析液原剤容器１６Ａにおける収容部７４の、鉛直方向下側の断面すり鉢形状部分に適合するように形成されていてよい。アンダーテーブル１２６の開口１４０Ａは、その開口中心と、アッパーテーブル１２２及びミドルテーブル１２４の開口中心とが鉛直方向で一致するように位置合わせされる。同様にして、図６、図７に例示するように、アンダーテーブル１２６の開口１４０Ｂ，１４０Ｃ，１４０Ｄは、各容器１６Ｂ，１８Ａ，１８Ｂにおける収容部８６，９８，１１０（図３〜図５参照）の、鉛直方向下側の断面すり鉢形状部分に適合するように形成されていてよい。またアンダーテーブル１２６の各開口１４０Ｂ，１４０Ｃ，１４０Ｄは、その開口中心と、アッパーテーブル１２２及びミドルテーブル１２４の開口中心とが鉛直方向で一致するように位置合わせされる。
【００７７】
なお、アンダーテーブル１２６の開口１４０Ａ，１４０Ｂ，１４０Ｃ，１４０Ｄは、各容器１６Ａ，１６Ｂ，１８Ａ，１８Ｂの縮径部８０Ａ，９２Ａ，１０４Ａ，１１６Ａ（下側縮径部）及び縮径部８０Ｂ，９２Ｂ，１０４Ｂ，１１６Ｂ（上側縮径部）が鉛直方向（Ｚ軸方向）で一致するように、その径が定められる。例えば、各縮径部の鉛直方向の高さ幅以内で各縮径部が位置合わせされるように、開口１４０Ａ，１４０Ｂ，１４０Ｃ，１４０Ｄの径が定められる。
【００７８】
ターンテーブル３０はノズルユニット３２に対して位置合わせされる。具体的には、アッパーテーブル１２２、ミドルテーブル１２４、及びアンダーテーブル１２６の各開口中心と、ノズルユニット３２のノズル中心線Ｌ（図８参照）とが鉛直方向で一致するように、ターンテーブル３０はノズルユニット３２に対して位置合わせされる。
【００７９】
図７を参照し、ターンテーブル３０はモータ１２８を備える。モータ１２８はステージ１３２に固定される。ステージ１３２は支柱１３０Ａ及び固定板であるベースプレート１４２によって固定支持される。
【００８０】
ステージ１３２の中心には開口が設けられており、当該開口からモータ１２８のシャフトが鉛直上方向に延設される。さらにそのシャフトがカップリング１３４に連結され、支柱１３０Ｂを経てミドルテーブル１２４に連結される。ミドルテーブル１２４は支柱１３０Ｃを介してアッパーテーブル１２２と連結される。またミドルテーブル１２４は支柱１３０Ｄを介してアンダーテーブル１２６と連結される。
【００８１】
従って、モータ１２８が回転駆動すると、支柱１３０Ｂ，１３０Ｃ，１３０Ｄを介してアッパーテーブル１２２、ミドルテーブル１２４、及びアンダーテーブル１２６が同期回転する。
【００８２】
モータ１２８は制御部３９（図１参照）により制御され、アッパーテーブル１２２、ミドルテーブル１２４、及びアンダーテーブル１２６の各開口中心と、ノズルユニット３２のノズル中心線Ｌ（図８参照）とが鉛直方向で一致するタイミングで回転駆動を停止することが可能となっている。
【００８３】
図６、図７には、ノズルユニット３２の斜視図が例示され、図８にはノズルユニット３２のＡ−Ａ断面図（図７参照）が例示されている。ノズルユニット３２は、第１ノズル４０、第２ノズル４２、Ｚリフト４４、上シールブロック５５０、下シールブロック６５０、上ガイド部材１５４Ａ，１５４Ｂ、及び下ガイド部材１５６Ａ，１５６Ｂを備える。
【００８４】
Ｚリフト４４は、第１ノズル４０及び下シールブロック６５０を鉛直方向に移動可能な第１Ｚリフト４４Ａ（移動機構）と、第２ノズル４２及び上シールブロック５５０を鉛直方向に移動可能な第２Ｚリフト４４Ｂ（移動機構）を備える。
【００８５】
第１Ｚリフト４４Ａ及び第２Ｚリフト４４Ｂは、それぞれ、モータ１４４Ａ，１４４Ｂ、送りねじ１４６Ａ，１４６Ｂ、及びアーム１４８Ａ，１４８Ｂを備える。アーム１４８Ａは第１ノズル４０及び下シールブロック６５０と連結される。アーム１４８Ｂは第２ノズル４２及び上シールブロック５５０と連結される。
【００８６】
モータ１４４Ａ，１４４Ｂの回転駆動に伴い送りねじ１４６Ａ，１４６Ｂが回転させられ、これに伴ってアーム１４８Ａ，１４８Ｂが鉛直方向に移動可能となる。モータ１４４Ａ，１４４Ｂは制御部３９（図１参照）により制御される。アーム１４８Ａ，１４８Ｂの鉛直移動に伴って第１ノズル４０及び下シールブロック６５０、ならびに、第２ノズル４２及び上シールブロック５５０が鉛直移動される。
【００８７】
図８に例示するように、第１ノズル４０はアーム１４８Ａから鉛直上方向に延設される。第１ノズル４０は、円筒を斜めに切断したような形状で、尖った先端を備え、透析液原剤容器１６Ａ，１６Ｂ及び洗浄剤容器１８Ａ，１８Ｂの閉口部８２，９４，１０６，１１８を穿刺可能となっている。また第１ノズル４０の先端側には内径が大きい流通孔６０５が設けられる。アーム１４８Ａには第１ノズル４０の流通孔６０５に連通するように軸方向に延びる流通孔６０４が設けられる。
【００８８】
さらにこの流通孔６０４は鉛直方向下側に延設され、接続パイプ１５０に接続される。接続パイプ１５０はベースプレート１４２の開口１５１を通って鉛直下方向に延設される。さらに接続パイプ１５０は一次供給管６０（図１参照）に接続される。接続パイプ１５０は、アーム１４８Ａの鉛直移動に追従可能とするように、ベローズ機構１５２を設けてもよい。
【００８９】
下シールブロック６５０は、フランジ６５１と、フランジ６５１の中央から上方向に延びる下本体６５０ａとを含んでいる。下本体６５０ａは円環状であって、その中央には円形の三段穴が設けられている。その一段目の穴として、下本体６５０ａのアーム１４８Ａ側には直径が第１ノズル４０の外径と同一のノズル取り付け穴６５３が設けられる。
【００９０】
ノズル取り付け穴６５３より先端側（鉛直上方向側）には、二段目の穴として、Ａ液原剤容器１６Ａ及びＢ液原剤容器１６Ｂの第１ポート７６，８８が嵌合する第１下シール穴６５５ａが設けられている。第１下シール穴６５５ａの内径は第１ポート７６，８８の外径と略同一径であってよい。
【００９１】
さらに第１下シール穴６５５ａより先端側には、三段目の穴として、次亜容器１８Ａ及び過酢酸容器１８Ｂの第１ポート１００，１１２が嵌合する第２下シール穴６５５ｂが設けられている。第２下シール穴６５５ｂの内径は第１ポート１００，１１２の外径と略同一径であってよい。ノズル取り付け穴６５３、第１下シール穴６５５ａ及び第２下シール穴６５５ｂは同軸であってよい。
【００９２】
ノズル取り付け穴６５３の内面には、第１ノズル４０の外面との間を水密にシールするためのパッキン６５４が取り付けられている。同様に、第１下シール穴６５５ａの内面には、Ａ液原剤容器１６Ａ及びＢ液原剤容器１６Ｂの第１ポート７６，８８の外面との間を水密にシールするためのパッキン６５６が取り付けられている。さらに第２下シール穴６５５ｂの内面には、次亜容器１８Ａ及び過酢酸容器１８Ｂの第１ポート１００，１１２の外面との間を水密にシールするためのパッキン６５８が取り付けられている。また、下シールブロック６５０のアーム１４８Ａに当接される面にもパッキン６６０が設けられている。
【００９３】
図８に例示するように、第２ノズル４２はアーム１４８Ｂから鉛直下方向に延設される。第２ノズル４２は、先端が尖った円錐形状であって、透析液原剤容器１６Ａ，１６Ｂ及び洗浄剤容器１８Ａ，１８Ｂの閉口部８４，９６，１０８，１２０を穿刺可能となっている。また第２ノズル４２の中心部分にはアーム１４８Ｂの流通孔５０２に連通するように軸方向に延びる流通孔５０４が設けられている。また、第２ノズル４２の先端部分には、流通孔５０４と連通し、半径方向に延びて第２ノズル４２の外表面に開口する流通孔５０５が設けられている。流通孔５０５の逆側（下流側）にある、アーム１４８Ｂ内の流通孔５０２は、二次供給管６２（図１参照）に接続される。
【００９４】
上シールブロック５５０は、フランジ５５１と、フランジ５５１の中央から下方向に延びる上本体５５０ａとを含んでいる。上本体５５０ａは円環状であって、その中央には円形の三段穴が設けられている。一段目の穴として、上本体５５０ａのアーム１４８Ｂ側には直径が第２ノズル４２の外径と同一のノズル取り付け穴５５３が設けられる。
【００９５】
ノズル取り付け穴５５３より先端側（鉛直下方向側）には、二段目の穴として、Ａ液原剤容器１６Ａ及びＢ液原剤容器１６Ｂの第２ポート７８，９０が嵌合する第１上シール穴５５５ａが設けられている。第１上シール穴５５５ａの内径は第２ポート７８，９０の外径と略同一径であってよい。
【００９６】
さらに第１上シール穴５５５ａより先端側には、三段目の穴として、次亜容器１８Ａ及び過酢酸容器１８Ｂの第２ポート１０２，１１４が嵌合する第２上シール穴５５５ｂが設けられている。第２上シール穴５５５ｂの内径は第２ポート１０２，１１４の外径と略同一径であってよい。ノズル取り付け穴５５３、第１上シール穴５５５ａ及び第２上シール穴５５５ｂは同軸であってよい。
【００９７】
ノズル取り付け穴５５３の内面には、第２ノズル４２の外面との間を水密にシールするためのパッキン５５４が取り付けられている。同様に、第１上シール穴５５５ａの内面には、Ａ液原剤容器１６Ａ及びＢ液原剤容器１６Ｂの第２ポート７８，９０の外面との間を水密にシールするためのパッキン５５６が取り付けられている。さらに第２上シール穴５５５ｂの内面には、次亜容器１８Ａ及び過酢酸容器１８Ｂの第２ポート１０２，１１４の外面との間を水密にシールするためのパッキン５５８が取り付けられている。また、上シールブロック５５０のアーム１４８Ｂに当接される面にもパッキン５６０が設けられている。
【００９８】
図７に戻り、上ガイド部材１５４Ａ，１５４Ｂ及び下ガイド部材１５６Ａ，１５６Ｂは、透析液生成時及び洗浄時における、透析液原剤容器１６Ａ，１６Ｂ及び洗浄剤容器１８Ａ，１８Ｂの、第１ノズル４０及び第２ノズル４２からの抜けを防止する部材である。言い換えると、上ガイド部材１５４Ａ，１５４Ｂ及び下ガイド部材１５６Ａ，１５６Ｂは、透析液生成時及び洗浄時における、第１ポート７６，８８，１００，１１２及び第２ポート７８，９０，１０２，１１４の鉛直移動を規制する規制部材である。
【００９９】
上ガイド部材１５４Ａ，１５４Ｂ及び下ガイド部材１５６Ａ，１５６Ｂは、ターンテーブル３０及びこれに保持された容器１６Ａ，１６Ｂ，１８Ａ，１８Ｂの回転移動を干渉しない位置及び形状に設けられる。さらにこれに加えて、第１ノズル４０及び第２ノズル４２に穿刺される容器１６Ａ，１６Ｂ，１８Ａ，１８Ｂに対しては、その縮径部８０Ａ，８０Ｂ，９２Ａ，９２Ｂ，１０４Ａ，１０４Ｂ，１１６Ａ，１１６Ｂの両脇に差し込んで第１ポート７６，８８、１００，１１２及び第２ポート７８，９０，１０２，１１４の第１ノズル４０及び第２ノズル４２からの抜けを防止する。
【０１００】
上ガイド部材１５４Ａ，１５４Ｂはともに支柱１５５を介して固定部材であるアッパープレート１５３に吊り支持されている。上ガイド部材１５４Ａ，１５４Ｂは水平面（Ｘ−Ｙ平面）上に延設される平板形状であってよい。
【０１０１】
さらに上ガイド部材１５４Ａ，１５４Ｂの鉛直方向位置は、透析液原剤容器１６Ａ，１６Ｂ及び洗浄剤容器１８Ａ，１８Ｂの各縮径部８０Ｂ，９２Ｂ，１０４Ｂ，１１６Ｂと鉛直方向（Ｚ軸方向）で一致するように定められる。
【０１０２】
上述したように、ターンテーブル３０によってこれに保持される透析液原剤容器１６Ａ，１６Ｂ及び洗浄剤容器１８Ａ，１８Ｂの鉛直方向位置が定まる。これに応じて、上ガイド部材１５４Ａ，１５４Ｂの鉛直方向を設定可能となる。
【０１０３】
また、上ガイド部材１５４Ａ，１５４Ｂは水平方向（Ｘ−Ｙ平面方向）に離間される。この離間距離Ｙ１（図８参照）は、透析液原剤容器１６Ａ，１６Ｂ及び洗浄剤容器１８Ａ，１８Ｂの各縮径部８０Ｂ，９２Ｂ，１０４Ｂ，１１６Ｂの径Ｒａｂ０，Ｒｂｂ０，Ｒｃａｂ０，Ｒｃｂｂ０の最大値を超過するように定められる。加えて、透析液原剤容器１６Ａ，１６Ｂ及び洗浄剤容器１８Ａ，１８Ｂの第２ポート７８，９０，１０２，１１４の径Ｒａ２，Ｒｂ２，Ｒｃａ２，Ｒｃｂ２の最小値未満となるように上ガイド部材１５４Ａ，１５４Ｂの離間距離Ｙ１が定められる。
【０１０４】
このようにすることで、上ガイド部材１５４Ａ，１５４Ｂは縮径部８０Ｂ，９２Ｂ，１０４Ｂ，１１６Ｂの両脇に差し込まれることが可能となり、かつ、第２ポート７８，９０，１０２，１１４からの上ガイド部材１５４Ａ，１５４Ｂの抜けを防止可能となる。
【０１０５】
また、上ガイド部材１５４Ａ，１５４Ｂの相対向する側の形状は、ターンテーブル３０によって回転させられる縮径部８０Ｂ，９２Ｂ，１０４Ｂ，１１６Ｂの軌跡に沿ったものとなるように形成される。
【０１０６】
なお、ターンテーブル３０におけるアッパーテーブル１２２の全周に亘って上ガイド部材１５４Ｂが覆うように構成すると、透析液原剤容器１６Ａ，１６Ｂ及び洗浄剤容器１８Ａ，１８Ｂのターンテーブル３０への配置が困難となる。そこで、上ガイド部材１５４Ｂは、アッパーテーブル１２２の全周のうち一部のみ鉛直視（平面視）で重なるように、その形状を定めてもよい。言い換えると、ターンテーブル３０によって回転移動される透析液原剤容器１６Ａ，１６Ｂ及び洗浄剤容器１８Ａ，１８Ｂの回転経路上の一部に上ガイド部材１５４Ｂを配置してもよい。
【０１０７】
下ガイド部材１５６Ａ，１５６Ｂはともに支柱１５７を介して固定部材であるベースプレート１４２に支持されている。また下ガイド部材１５６Ａ，１５６Ｂは水平面（Ｘ−Ｙ平面）上に延設される平板形状であってよい。
【０１０８】
さらに下ガイド部材１５６Ａ，１５６Ｂの鉛直方向位置は、透析液原剤容器１６Ａ，１６Ｂ及び洗浄剤容器１８Ａ，１８Ｂの各縮径部８０Ａ，９２Ａ，１０４Ａ，１１６Ａと鉛直方向（Ｚ軸方向）で一致するように定められる。
【０１０９】
上述したように、ターンテーブル３０によってこれに保持される透析液原剤容器１６Ａ，１６Ｂ及び洗浄剤容器１８Ａ，１８Ｂの鉛直方向位置が定まる。これに応じて、下ガイド部材１５６Ａ，１５６Ｂの鉛直方向を設定可能となる。
【０１１０】
また、下ガイド部材１５６Ａ，１５６Ｂは水平方向（Ｘ−Ｙ平面方向）に離間される。この離間距離Ｙ２（図８参照）は、透析液原剤容器１６Ａ，１６Ｂ及び洗浄剤容器１８Ａ，１８Ｂの各縮径部８０Ａ，９２Ａ，１０４Ａ，１１６Ａの径Ｒａａ０，Ｒｂａ０，Ｒｃａａ０，Ｒｃｂａ０の最大値を超過するように定められる。加えて、透析液原剤容器１６Ａ，１６Ｂ及び洗浄剤容器１８Ａ，１８Ｂの第１ポート７６，８８，１００，１１２の径Ｒａ１，Ｒｂ１，Ｒｃａ１，Ｒｃｂ１の最小値未満となるように下ガイド部材１５６Ａ，１５６Ｂの離間距離Ｙ２が定められる。
【０１１１】
このようにすることで、下ガイド部材１５６Ａ，１５６Ｂは縮径部８０Ａ，９２Ａ，１０４Ａ，１１６Ａの両脇に差し込まれることが可能となり、かつ、第１ポート７６，８８，１００，１１２からの下ガイド部材１５６Ａ，１５６Ｂの抜けを防止可能となる。
【０１１２】
また、下ガイド部材１５６Ａ，１５６Ｂの相対向する側の形状は、ターンテーブル３０によって回転させられる縮径部８０Ａ，９２Ａ，１０４Ａ，１１６Ａの軌跡に沿ったものとなるように形成される。
【０１１３】
なお、ターンテーブル３０におけるアンダーテーブル１２６の全周に亘って下ガイド部材１５６Ｂが覆われるように構成すると、透析液原剤容器１６Ａ，１６Ｂ及び洗浄剤容器１８Ａ，１８Ｂのターンテーブル３０への配置が困難となる。そこで、下ガイド部材１５６Ｂは、アンダーテーブル１２６の全周のうち一部のみ鉛直視（平面視）で重なるように、その形状を定めてもよい。言い換えると、ターンテーブル３０によって回転移動される透析液原剤容器１６Ａ，１６Ｂ及び洗浄剤容器１８Ａ，１８Ｂの回転経路上の一部に下ガイド部材１５６Ｂを配置してもよい。
【０１１４】
＜透析液生成プロセス＞
図９から図１２には、本実施形態に係る透析液生成システム１０における、透析液の生成プロセスが例示されている。まず、ターンテーブル３０が回転し、一点鎖線で示すように、Ａ液原剤容器１６Ａの鉛直方向中心線とノズルユニット３２の鉛直方向中心線とが一致すると、制御部３９はターンテーブル３０の回転駆動を停止させる。中心線の一致判定は、例えばターンテーブル３０及びベースプレート１４２に設けられた位置センサ（図示せず）による位置情報を制御部３９に送ることで実行してもよい。
【０１１５】
ターンテーブル３０の停止に伴い、Ｚリフト４４のモータ１４４Ａが駆動してアーム１４８Ａ、第１ノズル４０及び下シールブロック６５０が上昇する。また同様にしてＺリフト４４のモータ１４４Ｂが駆動してアーム１４８Ｂ、第２ノズル４２及び上シールブロック５５０が下降する。
【０１１６】
第１ノズル４０の上昇及び第２ノズル４２の下降が進むと、図１０に示すように第１ノズル４０の先端部がＡ液原剤容器１６Ａの閉口部８２を穿刺して収容部７４内に進入する。同様にして、第２ノズル４２の先端部がＡ液原剤容器１６Ａの閉口部８４を穿刺して収容部７４内に進入する。
【０１１７】
次に図１１に示すように、ＲＯ装置２８（供給手段）から第１ノズル４０を経由して収容部７４内にＲＯ水（希釈液）が供給される。収容部７４内にＲＯ水が満たされると、ＲＯ水とＡ液原剤とが混合された透析液がＡ液原剤容器１６Ａから第２ポート７８外に押し出される。押し出された透析液は第２ノズル４２及び二次供給管６２（送出手段、図１参照）を経てタンク２４に送出される。
【０１１８】
ここで図１２に示すように、Ａ液原剤容器１６Ａ内にＲＯ水が満たされるに伴って、収容部７４が膨張する。しかしながら本実施形態では、下ガイド部材１５６Ａ，１５６Ｂが第１ポート７６に引っ掛かり、第１ポート７６の上昇を防止する。同様にして上ガイド部材１５４Ａ，１５４Ｂが第２ポート７８に引っ掛かり、第２ポート７８の下降を防止する。このように、上ガイド部材１５４Ａ，１５４Ｂ及び下ガイド部材１５６Ａ，１５６Ｂにより、第１ポート７６の第１ノズル４０からの抜け、及び、第２ポート７８の第２ノズル４２からの抜けが防止される。
【０１１９】
加えて本実施形態では、保持部材であるアッパーテーブル１２２及びミドルテーブル１２４が収容部７４を水平方向に取り囲んでおり、収容部７４の水平方向の膨張を抑制している。これによっても、第１ポート７６の第１ノズル４０からの抜け、及び、第２ポート７８の第２ノズル４２からの抜けが有効に抑制される。
【０１２０】
なお、図９〜図１２では、ＲＯ水の供給対象としてＡ液原剤容器１６Ａを挙げたが、上ガイド部材１５４Ａ，１５４Ｂ及び下ガイド部材１５６Ａ，１５６Ｂにより、他の容器も同様の抜け防止の作用効果が得られる。上述したように、上ガイド部材１５４Ａ，１５４Ｂの水平方向離間距離Ｙ１は、各容器の縮径部８０Ｂ，９２Ｂ，１０４Ｂ，１１６Ｂを通過させ、かつ、第２ポート７８，９０，１０２，１１４の径未満となるように定められている。同様にして、下ガイド部材１５６Ａ，１５６Ｂの離間距離Ｙ２は、各容器の縮径部８０Ａ，９２Ａ，１０４Ａ，１１６Ａを通過させ、かつ、第１ポート７６，８８，１００，１１２の径未満となるように定められている。
【０１２１】
したがって、ＲＯ水の流入に伴って収容部が膨張しても、いずれの容器１６Ａ，１６Ｂ，１８Ａ，１８Ｂに対しても、第１ポートは下ガイド部材１５６Ａ，１５６Ｂに引っ掛かり、第２ポートは上ガイド部材１５４Ａ，１５４Ｂに引っ掛かるので、第１ノズル４０及び第２ノズル４２からの抜けが防止される。またアッパーテーブル１２２及びミドルテーブル１２４が収容部を水平方向に取り囲むことから、収容部の水平方向の膨張が抑制される。
【０１２２】
＜他の実施形態＞
上述の実施形態では、上ガイド部材１５４が第２ポートに引っ掛かり、下ガイド部材１５６が第１ポートに引っ掛かることでこれらポートのノズルからの抜けを防止していたが、この形態に限らない。つまり、透析液生成時及び洗浄時における、第１ポート７６，８８，１００，１１２及び第２ポート７８，９０，１０２，１１４の鉛直移動を規制する規制部材は上述の実施形態に限らない。
【０１２３】
例えばＡ液原剤容器１６Ａを例に取ると、図１３に示すように、Ａ液原剤容器１６Ａを立設状態とした上で、円筒形状の第１ポート７６及び第２ポート７８の側面を、水平方向から押圧して当該ポートを狭持する狭持機構１５８（狭持部材）を設けてもよい。
【０１２４】
例えば狭持機構１５８は、第１ポート及び第２ポート７８の側面を押圧するアーム１６１と、アーム１６１を水平方向に移動させる送りねじ機構１６３と、送りねじを回転させるモータ１６５を備える。このような機構によっても、透析液生成時の第１ポート７６及び第２ポート７８の鉛直方向の移動が規制される。
【０１２５】
また、上述の実施形態では、保持部材であるアッパーテーブル１２２及びミドルテーブル１２４が収容部７４の周廻りを水平方向に取り囲み、収容部７４の水平方向の膨張を抑制していたが、この形態に限らない。要するに収容部７４の水平方向の膨張を抑制可能であればよく、例えば図１４に例示するように、アッパーテーブル１２２及びミドルテーブル１２４の開口同士を側壁部材１２３で繋いで一体化させてもよい。このようにすることで収容部７４が面的に保持され、その結果、収容部７４の水平方向の膨張を抑制可能となる。
【０１２６】
また、図１５に例示するように、収容部７４の外周面全体を保持部材１２５で覆ってもよい。保持部材１２５は、アッパーテーブル１２２及びミドルテーブル１２４の開口縁から立設される。この形態によっても、収容部７４の面的な保持が可能となり、収容部７４の水平方向の膨張を抑制可能となる。
【符号の説明】
【０１２７】
１０  透析液生成システム、１２  透析治療システム、１４  透析液生成装置、１６Ａ，１６Ｂ  透析液原剤容器、１８Ａ，１８Ｂ  洗浄剤容器、２０  ダイアライザ、３０  ターンテーブル、３２  ノズルユニット、３９  制御部、４０  第１ノズル、４２  第２ノズル、４４  Ｚリフト、７４，８６，９８，１１０  収容部、７６，８８，１００，１１２  第１ポート、７８，９０，１０２，１１４  第２ポート、８０，９２，１０４，１１６  縮径部、８２，８４，９４，９６，１０６，１０８，１１８，１２０  閉口部、１２２  アッパーテーブル、１２４  ミドルテーブル、１２６  アンダーテーブル、１２８  モータ、１５４Ａ，１５４Ｂ  上ガイド部材、１５６Ａ，１５６Ｂ  下ガイド部材、１５８Ａ，１５８Ｂ  狭持機構。
【図１】
2019022587.tif 000003
【図２】
2019022587.tif 000004
【図３】
2019022587.tif 000005
【図４】
2019022587.tif 000006
【図５】
2019022587.tif 000007
【図６】
2019022587.tif 000008
【図７】
2019022587.tif 000009
【図８】
2019022587.tif 000010
【図９】
2019022587.tif 000011
【図１０】
2019022587.tif 000012
【図１１】
2019022587.tif 000013
【図１２】
2019022587.tif 000014
【図１３】
2019022587.tif 000015
【図１４】
2019022587.tif 000016
【図１５】
2019022587.tif 000017
【図１６】
2019022587.tif 000018